(57)【要約】【課題】この発明は、自動的にタイトルまたはチャプターを分割することにより、ユーザによるコンテンツ管理や検索が容易な映像記録装置を提供することを目的としている。【解決手段】  映像信号を受信する映像信号受信手段（１６）と、  受信された映像信号に係る所定の方式を検知し、この所定の方式の違いを検出する方式検出手段（１７）と、方式の違いが検出された場合は、これに応じて前記映像信号をタイトルとして分別するタイトル分別手段（１７）と、タイトル分別された映像信号を記録媒体に記録する記録手段（１３、１４）とを備える。【選択図】  図１
2005159537.tif 000002
【特許請求の範囲】
【請求項１】
映像信号を記録媒体に記録する映像記録装置において、
映像信号を受信する映像信号受信手段と、
前記受信された映像信号に係る所定の方式を検知し、この所定の方式の違いを検出する方式検出手段と、
前記方式の違いが検出された場合は、これに応じて前記映像信号をタイトルとして分別するタイトル分別手段と、
前記タイトル分別された映像信号を記録媒体に記録する記録手段とを備えることを特徴とする映像記録装置。
【請求項２】
映像信号を記録媒体に記録する映像記録装置において、
複数のコンテンツに跨った予約が設定される予約設定手段と、
前記予約設定された複数のコンテンツに係る映像信号を受信する映像信号受信手段と、
前記受信された映像信号の複数のコンテンツに係る所定の方式を検知し、この所定の方式の違いを検出する方式検出手段と、
前記方式の違いが検出された場合は、これに応じて前記複数のコンテンツに係る映像信号をタイトルとして分別するタイトル分別手段と、
前記タイトル分別された映像信号を記録媒体に記録する記録手段とを備えることを特徴とする映像記録装置。
【請求項３】
映像信号を記録媒体に記録する映像記録装置において、
映像信号を受信する映像信号受信手段と、
前記受信された映像信号に係る所定の方式を検知し、この所定の方式の違いを検出する方式検出手段と、
前記方式の違いが検出された場合は、これに応じて前記映像信号を所定のタイトルに含まれるチャプタとして分別するチャプタ分別手段と、
前記チャプタ分別された映像信号を記録媒体に記録する記録手段とを備えることを特徴とする映像記録装置。
【請求項４】
映像信号を記録媒体に記録する映像記録装置において、
複数のコンテンツに跨った予約が設定される予約設定手段と、
前記予約設定された複数のコンテンツに係る映像信号を受信する映像信号受信手段と、
前記受信された映像信号の複数のコンテンツに係る所定の方式を検知し、この所定の方式の違いを検出する方式検出手段と、
前記方式の違いが検出された場合は、これに応じて前記複数のコンテンツに係る映像信号を所定のタイトルに含まれるチャプタとして分別するチャプタ分別手段と、
前記チャプタ分別された映像信号を記録媒体に記録する記録手段とを備えることを特徴とする映像記録装置。
【請求項５】
前記所定の方式の違いは解像度の違いであり、受信した映像信号の解像度の違いに応じて上記分別を行うことを特徴とする請求項１乃至４に記載の映像記録装置。
【請求項６】
前記所定の方式の違いはアスペクト比の違いであり、受信した映像信号のアスペクト比の違いに応じて上記分別を行うことを特徴とする請求項１乃至４に記載の映像記録装置。
【請求項７】
前記所定の方式の違いは音声であり、受信した映像信号の音声の違いに応じて上記分別を行うことを特徴とする請求項１乃至４に記載の映像記録装置。
【請求項８】
映像信号を受信するステップと、
前記受信された映像信号に係る所定の方式を検知し、この所定の方式の違いを検出するステップと、
前記方式の違いが検出された場合は、この違いに応じて前記映像信号をタイトルとして分別するステップと、
前記タイトル分別された映像信号を記録媒体に記録するステップとを備えることを特徴とする映像記録方法。
【請求項９】
複数のコンテンツに跨った予約が設定されるステップと、
前記予約設定された複数のコンテンツに係る映像信号を受信するステップと、
前記受信された映像信号の複数のコンテンツに係る所定の方式を検知し、この所定の方式の違いを検出するステップと、
前記方式の違いが検出された場合は、この違いに応じて前記複数のコンテンツに係る映像信号をタイトルとして分別するステップと、
前記タイトル分別された映像信号を記録媒体に記録するステップとを備えることを特徴とする映像記録方法。
【請求項１０】
映像信号を受信するステップと、
前記受信された映像信号に係る所定の方式を検知し、この所定の方式の違いを検出するステップと、
前記方式の違いが検出された場合は、この違いに応じて前記映像信号を所定のタイトルに含まれるチャプタとして分別するステップと、
前記チャプタ分別された映像信号を記録媒体に記録するステップとを備えることを特徴とする映像記録方法。
【請求項１１】
複数のコンテンツに跨った予約が設定されるステップと、
前記予約設定された複数のコンテンツに係る映像信号を受信するステップと、
前記受信された映像信号の複数のコンテンツに係る所定の方式を検知し、この所定の方式の違いを検出するステップと、
前記方式の違いが検出された場合は、この違いに応じて前記複数のコンテンツに係る映像信号を所定のタイトルに含まれるチャプタとして分別するステップと、
前記チャプタ分別された映像信号を記録媒体に記録するステップとを備えることを特徴とする映像記録方法。
【発明の詳細な説明】
【技術分野】
【０００１】
この発明は、映像信号を記録媒体に記録する映像記録装置に関する。またこの発明は方式の異なる映像信号を記録媒体に記録する映像記録装置に関する。
【背景技術】
【０００２】
現在、ＨＤＤ（ハードディスクドライブ）やＤＶＤ（デジタルビデオディスク）等の記録媒体に映像を記録する映像記録装置が製品化されている。このような映像記録装置は、映像や音楽（以下両者を総称して映像）を手軽に記録（録画）することができる。
【０００３】
記録媒体に記録（録画）された映像信号は、ユーザの手動操作によってタイトルを分割してプレイリストを作成したり、チャプターを指定したりすることが可能である。
【０００４】
しかしこれは、ユーザにとっては手動操作が必要であり、番組検索の手間がかかり、煩雑であるといった問題があった。
【０００５】
特許文献１には、記録されている映像情報の画質を示す情報を、映像情報の管理領域に記録し、記録効率の向上を図る技術が開示されている。しかしながら、この特許文献１では以前としてユーザは上記手動操作が必要であり、煩雑であるといった問題があった。
【特許文献１】特開２０００−１３２９４９号公報
【発明の開示】
【発明が解決しようとする課題】
【０００６】
そこで、この発明は、上記事情を考慮してなされたもので、コンテンツに係る方式の違いが検出される度に、自動的にタイトルまたはチャプターを分割することにより、ユーザによるコンテンツ管理や検索を容易にして映像記録装置の利便性を向上させることを目的とする。
【課題を解決するための手段】
【０００７】
この発明に係る映像記録装置は、映像信号を受信する映像信号受信手段と、  前記受信された映像信号に係る所定の方式を検知し、この所定の方式の違いを検出する方式検出手段と、前記方式の違いが検出された場合は、これに応じて前記映像信号をタイトルとして分別するタイトル分別手段と、前記タイトル分別された映像信号を記録媒体に記録する記録手段とを備えるように構成している。
【０００８】
またこの発明に係る映像記録方法は、映像信号を受信するステップと、前記受信された映像信号に係る所定の方式を検知し、この所定の方式の違いを検出するステップと、前記方式の違いが検出された場合は、この違いに応じて前記映像信号をタイトルとして分別するステップと、前記タイトル分別された映像信号を記録媒体に記録するステップとを備えるように構成している。
【発明の効果】
【０００９】
上記した構成によれば、方式の異なる（例えば、複数の異なる解像度の）コンテンツを連続して録画した場合に、解像度が切り替わる（違いの）度に自動的にタイトルまたはチャプターを分割するので、ユーザによるコンテンツ管理や検索が容易になり、映像記録装置の利便性を向上させることが可能となる。また、ユーザーの編集等の手間を軽減することが可能となる。
【発明を実施するための最良の形態】
【００１０】
以下、図面を参照してこの発明の実施の形態を説明する。
【００１１】
図１はこの発明の実施の形態を示すもので、映像記録装置の構成を示すブロック図である。
【００１２】
この映像記録装置では、記録媒体としてＤＶＤ−ＲＡＭとハードディスクとの双方を取り扱うことができるものとしているが、ハードディスクまたはＤＶＤ−ＲＡＭは、例えば半導体メモリ等の記録媒体に置換されてもよいものである。
【００１３】
図１に示した映像記録装置において、その各ブロックを大きく分けると、左側に記録部の主なブロックが存在し、右側に再生部の主なブロックが存在する。
【００１４】
すなわち、この映像記録装置は、２種類のディスクドライブ部を有する。まず、ビデオファイルを構築できる情報記録媒体である第１のメディアとしての光ディスク１１を回転駆動し、情報の読み書きを実行するディスクドライブ部１２を有する。また、第２のメディアとしてのハードディスク１３ａを駆動するＨＤＤ（Hard Disk Drive）部１３を有する。
【００１５】
Ｄ−ＰＲＯ（Data−Processor）部１４は、ディスクドライブ部１２及びＨＤＤ部１３に記録データを供給することができ、また、再生された信号を受け取ることができる。ディスクドライブ部１２は、光ディスク１１に対する回転制御系、レーザ駆動系、光学系などを有する。
【００１６】
Ｄ−ＰＲＯ部１４は、記録または再生単位のデータを取り扱うもので、バッファ回路、変調・復調回路、エラー訂正部等を含んでいる。
【００１７】
また、この映像記録装置は、記録側を構成するエンコーダ部１５と、再生側を構成するデコーダ部１６と、装置本体の動作を制御するマイクロコンピュータブロック１７とを主たる構成要素としている。
【００１８】
エンコーダ部１５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１９】
エンコーダ部１５の出力は、バッファメモリ１８を含むフォーマッタ１９にて所定のＤＶＤ−ＲＡＭのフォーマットに変換され、先のＤ−ＰＲＯ部１４に供給される。
【００２０】
エンコーダ部１５には、Ａ／Ｖ（Audio／Video）入力部２０からの外部アナログビデオ信号と外部アナログオーディオ信号、または、ＴＶ（Television）チューナー部２１からのアナログビデオ信号とアナログオーディオ信号とが入力される。
【００２１】
なお、エンコーダ部１５は、圧縮されたデジタルビデオ信号やデジタルオーディオ信号が直接入力されるときは、圧縮デジタルビデオ信号やデジタルオーディオ信号を直接フォーマッタ１９に供給することもできる。
【００２２】
また、エンコーダ部１５は、アナログデジタル変換されたデジタルビデオ信号やオーディオ信号を、Ｖ（Video）ミキシング部２２やオーディオセレクタ２３に直接供給することもできる。
【００２３】
エンコーダ部１５に含まれるビデオエンコーダでは、デジタルビデオ信号が、ＭＰＥＧ（Moving Picture Experts Group）２またはＭＰＥＧ１規格に基づいた可変ビットレートで圧縮されたデジタルビデオ信号に変換される。
【００２４】
デジタルオーディオ信号は、ＭＰＥＧまたはＡＣ（Audio Compression）−３規格に基づいて固定ビットレートで圧縮されたデジタルオーディオ信号、または、リニアＰＣＭ（Pulse Code Modulation）のデジタルオーディオ信号に変換される。
【００２５】
副映像信号がＡ／Ｖ入力部２０から入力された場合（例えば副映像信号の独立出力端子付DVDビデオプレーヤからの信号等）、または、このようなデータ構成のＤＶＤビデオ信号が放送されて、それがＴＶチューナー部２１で受信された場合は、ＤＶＤビデオ信号中の副映像信号が副映像エンコーダでエンコード（ランレングス符号化）されて副映像のビットマップとなる。
【００２６】
エンコードされたデジタルビデオ信号、デジタルオーディオ信号、副映像データは、フォーマッタ１９にてパック化され、ビデオパック、オーディオパック、副映像パックとなる。さらに、これらのパックが集合されて、ＤＶＤ−ＶＲ（Video Recording）規格（例えばＤＶＤ−ＲＡＭ、ＤＶＤ−Ｒ、ＤＶＤ−ＲＷ等に記録する規格）で規定されたフォーマットに変換される。
【００２７】
ここで、図１の映像記録装置は、フォーマッタ１９でフォーマット化された情報（ビデオ、オーディオ、副映像データ等のパック）及び作成された管理情報を、Ｄ−ＰＲＯ部１４を介してＨＤＤ部１３またはディスクドライブ部１２に供給し、ハードディスク１３ａまたは光ディスク１１に記録することができる。
【００２８】
また、ハードディスク１３ａまたは光ディスク１１に記録された情報を、Ｄ−ＰＲＯ部１４、ディスクドライブ部１２を介して光ディスク１１あるいはハードディスク１３ａに記録することもできる。
【００２９】
また、ハードディスク１３ａまたは光ディスク１１に記録されている複数番組のビデオオブジェクトを、一部削除したり、異なる番組のオブジェクトを繋げたりといった編集処理を行なうこともできる。これは、この実施の形態に係るフォーマットが取り扱うデータ単位を定義し、編集を容易にしているからである。
【００３０】
マイクロコンピュータブロック１７は、ＭＰＵ（Micro Processing Unit）またはＣＰＵ（Central Processing Unit）と、制御プログラム等が書きこまれたＲＯＭと、プログラム実行に必要なワークエリアを提供するためのＲＡＭとを含んでいる。
【００３１】
マイクロコンピュータブロック１７のＭＰＵは、そのＲＯＭに格納された制御プログラムにしたがい、ＲＡＭをワークエリアとして用いて、欠陥場所検出、未記録領域検出、記録情報記録位置設定、ＵＤＦ（Universal Disk Format）記録、ＡＶアドレス設定等を実行する。
【００３２】
また、マイクロコンピュータブロック１７は、システム全体を制御するために必要な情報処理部を有するもので、ワークＲＡＭ２４、方式違い検出部２５、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部等を備える。
【００３３】
また、マイクロコンピュータブロック１７は、記録を実行する際のタイトル管理情報制御部２６と、編集を実行する際のチャプタ管理情報制御部２７をも備える。
【００３４】
マイクロコンピュータブロック１７の実行結果のうち、ユーザーに通知すべき内容は、映像記録装置の表示部２８に表示されるか、または、モニターディスプレイ２９にＯＳＤ（On Screen Display）表示される。
【００３５】
また、マイクロコンピュータブロック１７は、この映像記録装置を操作するための操作信号を与えるキー入力部３０を有する。このキー入力部３０は、例えば映像記録装置の本体上に設けた操作スイッチ類、または、リモートコントローラ等に相当する。また、この映像記録装置と有線通信、無線通信または光通信や赤外線通信等の手段を用いて接続されたＰＣ（Personal Computer）パーソナルコンピューター等であってもよい。
【００３６】
いずれの形態であるにせよ、ユーザーがこのキー入力部３０を操作することにより、入力された映像音声信号の記録処理や、記録されたコンテンツの再生処理、あるいは記録されたコンテンツに対する編集処理等を施すことができる。
【００３７】
なお、マイクロコンピュータブロック１７が、ディスクドライブ部１２、ＨＤＤ部１３、Ｄ−ＰＲＯ部１４、エンコーダ部１５及びデコーダ部１６等を制御するタイミングは、ＳＴＣ（System Time Clock）３１からの時間データに基づいて実行することができる。記録や再生の動作は、通常は、ＳＴＣ３１からのタイムクロックに同期して実行されるが、それ以外の処理はＳＴＣ３１とは独立したタイミングで実行されてもよい。
【００３８】
デコーダ部１６は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰ（Sub Picture）デコーダと、セパレータで分離されたオーディオデータ（オーディオパックの内容）をデコードするAデコーダとを有する。また、デコードされた主映像にデコードされた副映像を適宜合成し、主映像に、メニュー、ハイライトボタン、字幕やその他の副映像を重ねて出力するビデオプロセッサを備えている。
【００３９】
デコーダ部１６の出力ビデオ信号は、Ｖミキシング部２２に入力される。Ｖミキシング部２２では、テキストデータの合成が行なわれる。また、Ｖミキシング部２２には、ＴＶチューナー部２１やＡ／Ｖ入力部２０からの信号を、直接取り込むラインも接続されている。
【００４０】
また、Ｖミキシング部２２には、バッファとして用いるフレームメモリ３２が接続されている。Ｖミキシング部２２の出力がアナログ出力の場合はＩ／Ｆ（Interface）３３を介して外部出力され、デジタル出力の場合はＤ／Ａ（Digital／Analog）変換器３４を介して外部のモニターディスプレイ２９に出力される。
【００４１】
デコーダ部１６の出力オーディオ信号は、セレクタ２３を介してＤ／Ａ変換器３５でアナログ変換され外部のスピーカ３６に出力される。
【００４２】
セレクタ２３は、マイクロコンピュータブロック１７からのセレクト信号により制御される。これにより、セレクタ２３は、ＴＶチューナー部２１やＡ／Ｖ入力部２０からのデジタル信号を直接モニタする時、エンコーダ部１５をスルーした信号を直接選択することも可能である。
【００４３】
なお、エンコーダ部１５のフォーマッタ１９では、記録中、各切り分け情報を作成し、定期的にマイクロコンピュータブロック１７のＭＰＵに送出している［ＧＯＰ（Group Of
Picture）先頭割り込み時等の情報］。切り分け情報としては、ＶＯＢＵ（Video Object
Unit）のパック数、ＶＯＢＵ先頭からのＩ（Intra）ピクチャのエンドアドレス、ＶＯＢＵの再生時間等である。
【００４４】
同時に、アスペクト比情報処理部からの情報を記録開始時にＭＰＵに送り、ＭＰＵはＶＯＢ（Video Object）ストリーム情報（ＳＴＩ）を作成する。ここで、ＳＴＩは、解像度データ、アスペクト比データ等を保存し、再生時に、各デコーダ部ではこの情報を元にして初期設定が行なわれる。
【００４５】
また、この映像記録装置では、ビデオファイルは１ディスクに１ファイルとしている。また、データをアクセス（シーク）している間に、途切れないで再生を続けるために、最低限連続する情報単位（サイズ）を決めている。この単位をＣＤＡ（Contiguous Data Area）と称している。ＣＤＡサイズは、ＥＣＣ（エラー訂正コード）ブロック（１６セクタ）の倍数であり、ファイルシステムではこのＣＤＡ単位で記録を行なっている。
【００４６】
Ｄ−ＰＲＯ部１４は、エンコーダ部１５のフォーマッタ１９からＶＯＢＵ単位のデータを受け取り、ＣＤＡ単位のデータをディスクドライブ部１２またはＨＤＤ部１３に供給している。
【００４７】
また、マイクロコンピュータブロック１７のＭＰＵは、記録したデータを再生するのに必要な管理情報を作成し、データ記録終了のコマンドを認識すると、作成した管理情報をＤ−ＰＲＯ部１４に送る。これにより、管理情報が光ディスク１１またはハードディスク１３ａに記録される。
【００４８】
このため、エンコードが行なわれているとき、マイクロコンピュータブロック１７のＭＰＵは、エンコーダ部１５からデータ単位の情報（切り分け情報等）を受け取る。また、マイクロコンピュータブロック１７のＭＰＵは、記録開始時には光ディスク１１またはハードディスク１３ａから読み取った管理情報（ファイルシステム）を認識し、各ディスクの未記録エリアを認識し、データ上の記録エリアを、Ｄ−ＰＲＯ部１４を介してディスクに設定している。
【００４９】
図２はこの発明の実施の形態を示すもので、方式に応じてタイトル分別する例を示す図である。ここでは、コンテンツが解像度、アスペクト比、音声等の方式の違いに応じてタイトル１、タイトル２、タイトル２、タイトル３、タイトル４、タイトル５…のようにタイトル分別される。
【００５０】
図３はこの発明の実施の形態を示すもので、方式に応じてチャプタ分別する例を示す図である。ここでは、図３（ａ）および（ｂ）に示すように、所定のタイトル（例えばTitle No.XX）が、解像度、アスペクト比、音声等の方式の違いに応じてチャプタ１（Chpt.1）、チャプタ２（Chpt.２）、チャプタ３（Chpt.３）、チャプタ４（Chpt.４）、チャプタ５（Chpt.５）、…のようにチャプタ分別される。
【００５１】
図４はこの発明の実施の形態を示すもので、解像度タイトル分割（分別）が設定される設定画面を示す図である。ここでは解像度タイトルの分割が設定される。
【００５２】
違いを判断する解像度の例としては、５２５Ｉｉ、５２５ｐ、１０８０ｉ、７２０ｐ、１０８０ｐ等があり、映像信号に付与されたこれらの方式の違いによって分別が行われる。
【００５３】
上記説明したモニタ２９にこの設定画面がユーザに表示される。ユーザは例えば図示しないリモコンを操作し、この設定画面から解像度タイトルの分割を設定する場合はカーソルで「はい」を選択する。
【００５４】
図５はこの発明の実施の形態を示すもので、解像度タイトル分割を説明するフローチャートである。
【００５５】
符号１０１はここでの開始ステップである。続いて符号１０２を付したステップへ進む。
【００５６】
符号１０２は現在録画中か否かを判断するステップである。現在録画中と判断される場合は符号１０３を付したステップへ進む（Ｙｅｓ）。現在録画中と判断されない場合は符号１０６を付したステップへ進む（Ｎｏ）。
【００５７】
符号１０３は解像度タイトル分割が設定されているか否かを判断するステップである。解像度タイトル分割が設定されている場合は符号１０４を付したステップへ進む（Ｙｅｓ）。解像度タイトル分割が設定されていない場合は符号１０６を付したステップへ進む（Ｎｏ）。
【００５８】
符号１０４は方式、すなわちここでは解像度の違い（解像度変化）を判断するステップである。解像度の違いありと判断される場合は符号１０５を付したステップへ進む（Ｙｅｓ）。解像度の違いありと判断されない場合は符号１０６を付したステップへ進む（Ｎｏ）。
【００５９】
符号１０５は検出された方式（ここでは解像度）の違いに応じて映像信号をタイトルとして分別処理するステップである。続いて符号１０６を付したステップへ進む。
【００６０】
符号１０６は終了ステップであり、ここでの処理は終了する。
【００６１】
これらの処理はマイクロコンピュータブロック１７で制御される。
【００６２】
図６はこの発明の実施の形態を示すもので、解像度チャプタ分割が設定される設定画面を示す図である。ここでは解像度チャプタの分割が設定される。
【００６３】
上記説明したモニタ２９にこの設定画面がユーザに表示される。ユーザは例えば図示しないリモコンを操作し、この設定画面から解像度チャプタの分割を設定する場合はカーソルで「はい」を選択する。
【００６４】
図７はこの発明の実施の形態を示すもので、解像度チャプタ分割を説明するフローチャートである。
【００６５】
符号２０１はここでの開始ステップである。続いて符号２０２を付したステップへ進む。
【００６６】
符号２０２は現在録画中か否かを判断するステップである。現在録画中と判断される場合は符号２０３を付したステップへ進む（Ｙｅｓ）。現在録画中と判断されない場合は符号２０６を付したステップへ進む（Ｎｏ）。
【００６７】
符号２０３は解像度チャプタ分割が設定されているか否かを判断するステップである。
解像度チャプタ分割が設定されている場合は符号２０４を付したステップへ進む（Ｙｅｓ）。解像度チャプタ分割が設定されていない場合は符号２０６を付したステップへ進む（Ｎｏ）。
【００６８】
符号２０４は方式、すなわちここでは解像度の違い（解像度変化）を判断するステップである。解像度の違いありと判断される場合は符号２０５を付したステップへ進む（Ｙｅｓ）。解像度の違いありと判断されない場合は符号２０６を付したステップへ進む（Ｎｏ）。
【００６９】
符号２０５は検出された方式（ここでは解像度）の違いに応じて映像信号をチャプタとして分別処理するステップである。続いて符号２０６を付したステップへ進む。
【００７０】
符号２０６は終了ステップであり、ここでの処理は終了する。
【００７１】
これらの処理はマイクロコンピュータブロック１７で制御される。
【００７２】
図８はこの発明の実施の形態を示すもので、アスペクト比タイトルまたはチャプタ分割を説明するフローチャートである。
【００７３】
違いを判断するアスペクト比の例としては、４：３、１６：９、ＥＤ２、レターボックスサイズ等があり、映像信号に付与されたこれらの方式の違いによって分別が行われる。
【００７４】
符号３０１はここでの開始ステップである。続いて符号３０２を付したステップへ進む。
【００７５】
符号３０２は現在録画中か否かを判断するステップである。現在録画中と判断される場合は符号３０３を付したステップへ進む（Ｙｅｓ）。現在録画中と判断されない場合は符号３０６を付したステップへ進む（Ｎｏ）。
【００７６】
符号３０３はアスペクト比タイトルまたはチャプタ分割が設定されているか否かを判断するステップである。ここではアスペクト比タイトル分割またはアスペクト比チャプタ分割の少なくともいずれか１つが設定されているか否かが判断される。アスペクト比タイトルまたはチャプタ分割が設定されている場合は符号３０４を付したステップへ進む（Ｙｅｓ）。アスペクト比タイトルまたはチャプタ分割が設定されていない場合は符号３０６を付したステップへ進む（Ｎｏ）。
【００７７】
符号３０４は方式、すなわちここではアスペクト比の違い（解像度変化）を判断するステップである。アスペクト比の違いありと判断される場合は符号３０５を付したステップへ進む（Ｙｅｓ）。アスペクト比の違いありと判断されない場合は符号３０６を付したステップへ進む（Ｎｏ）。
【００７８】
符号３０５は検出された方式（ここではアスペクト比）の違いに応じて映像信号をタイトルまたはチャプタとして分別処理するステップである。続いて符号３０６を付したステップへ進む。
【００７９】
符号３０６は終了ステップであり、ここでの処理は終了する。
【００８０】
これらの処理はマイクロコンピュータブロック１７で制御される。
【００８１】
図９はこの発明の実施の形態を示すもので、音声タイトルまたはチャプタ分割を説明す
るフローチャートである。
【００８２】
違いを判断する音声の例としては、ステレオ、モノラル、５．１チャンネル（５チャンネルをスピーカ、１チャンネルをウーハーに割り当てる）等があり、映像信号に付与されたこれらの方式の違いによって分別が行われる。
【００８３】
符号４０１はここでの開始ステップである。続いて符号４０２を付したステップへ進む。
【００８４】
符号４０２は現在録画中か否かを判断するステップである。現在録画中と判断される場合は符号４０３を付したステップへ進む（Ｙｅｓ）。現在録画中と判断されない場合は符号４０６を付したステップへ進む（Ｎｏ）。
【００８５】
符号４０３は音声タイトルまたはチャプタ分割が設定されているか否かを判断するステップである。ここでは音声タイトル分割または音声チャプタ分割の少なくともいずれか１つが設定されているか否かが判断される。音声タイトルまたはチャプタ分割が設定されている場合は符号４０４を付したステップへ進む（Ｙｅｓ）。アスペクト比タイトルまたはチャプタ分割が設定されていない場合は符号４０６を付したステップへ進む（Ｎｏ）。
【００８６】
符号４０４は方式、すなわちここでは音声の違い（解像度変化）を判断するステップである。音声の違いありと判断される場合は符号４０５を付したステップへ進む（Ｙｅｓ）。音声の違いありと判断されない場合は符号４０６を付したステップへ進む（Ｎｏ）。
【００８７】
符号４０５は検出された方式（ここでは音声）の違いに応じて映像信号をタイトルまたはチャプタとして分別処理するステップである。続いて符号４０６を付したステップへ進む。
【００８８】
符号４０６は終了ステップであり、ここでの処理は終了する。
【００８９】
これらの処理はマイクロコンピュータブロック１７で制御される。
【００９０】
このように構成することによって、複数のコンテンツを方式の違いに応じて、自動的にタイトルまたはチャプターを分割するので、ユーザによるコンテンツ管理や検索が容易になり、映像記録装置の利便性を向上させる効果がある。また、ユーザーの編集等の手間を軽減する効果がある。
【００９１】
なお、この発明は上記した実施の形態そのままに限定されるものではなく、実施段階ではその趣旨を逸脱しない範囲で構成要素を種々変形して具体化することができる。
【図面の簡単な説明】
【００９２】
【図１】この発明の実施の形態を示すもので、映像記録装置の構成を示すブロック図。
【図２】この発明の実施の形態を示すもので、方式に応じてタイトル分別する例を示す図。
【図３】この発明の実施の形態を示すもので、方式に応じてチャプタ分別する例を示す図。
【図４】この発明の実施の形態を示すもので、解像度タイトル分割が設定される設定画面を示す図。
【図５】この発明の実施の形態を示すもので、解像度タイトル分割を説明するフローチャート。
【図６】この発明の実施の形態を示すもので、解像度チャプタ分割が設定される設定画面を示す図。
【図７】この発明の実施の形態を示すもので、解像度チャプタ分割を説明するフローチャート。
【図８】この発明の実施の形態を示すもので、アスペクト比タイトルまたはチャプタ分割を説明するフローチャート。
【図９】この発明の実施の形態を示すもので、音声タイトルまたはチャプタ分割を説明するフローチャート。
【符号の説明】
【００９３】
１１…光ディスク、１２…ディスクドライブ部、１３…ＨＤＤ部、１４…Ｄ−ＰＲＯ部、１５…エンコーダ部、１６…デコーダ部、１７…マイクロコンピュータブロック、１８…バッファメモリ、１９…フォーマッタ、２０…Ａ／Ｖ入力部、２１…ＴＶチューナー部、２２…Ｖミキシング部、２３…セレクタ、２４…ワークＲＡＭ、２５…方式違い検知部、２６…記録時のタイトル管理情報制御部、２７…編集時のチャプタ管理情報制御部、２８…表示部、２９…モニターディスプレイ、３０…キー入力部、３１…ＳＴＣ、３２…フレームメモリ部、３３…Ｉ／Ｆ、３４，３５…Ｄ／Ａ変換器、３６…スピーカ。
【図１】
2005159537.tif 000003
【図２】
2005159537.tif 000004
【図３】
2005159537.tif 000005
【図４】
2005159537.tif 000006
【図５】
2005159537.tif 000007
【図６】
2005159537.tif 000008
【図７】
2005159537.tif 000009
【図８】
2005159537.tif 000010
【図９】
2005159537.tif 000011